(57)【特許請求の範囲】
【請求項１】
フィルタの中心周波数を変更する変更手段と、
前記フィルタの所望の中心周波数から対称的な周波数配置の２つの周波数成分を持つ信号を発生し、前記フィルタに入力する信号発生手段と、
前記変更手段によって中心周波数を変更した結果得られる前記フィルタの少なくとも２つの出力値を比較する比較手段と、
前記比較手段の比較結果に基づいて、前記フィルタの中心周波数が、前記フィルタの出力において前記２つの周波数成分が同じ大きさになる中心周波数に設定されるように前記変更手段を制御する制御手段とを具えたことを特徴とするフィルタ中心周波数調整装置。
【請求項２】
フィルタの所望の中心周波数から対称的な周波数配置の２つの周波数成分を持つ信号を前記フィルタに入力し、
前記フィルタの中心周波数を変更した結果得られる前記フィルタの少なくとも２つの出力値を比較し、
前記比較結果に基づいて、前記フィルタの中心周波数を、前記フィルタの出力において前記２つの周波数成分が同じ大きさになる中心周波数に設定することを特徴とするフィルタ中心周波数調整方法。
【発明の詳細な説明】
【０００１】
【発明の属する技術分野】
本発明は、ＩＦ（中間周波数）フィルタ等のフィルタの中心周波数調整装置および方法に関するものである。
【０００２】
【従来の技術】
例えば携帯電話等の内部のＩＦフィルタは、半導体回路から構成されいる。このＩＦフィルタとしては、ｇｍＣフィルタが用いられ、その中心周波数の絶対精度を決定するためにリファレンスクロック等を利用したマスタスレーブ方式が一般的に適用されている。すなわち、このマスタスレーブ方式は、リファレンスクロック等を用いたＰＬＬ回路を構成するマスタフィルタからの制御電流によって、スレーブとして構成されるＩＦフィルタの中心周波数を制御する方式である。
【０００３】
【発明が解決しようとする課題】
しかしながら、上述したマスタスレーブ方式を適用したＩＦフィルタにおいては、内在する誤差等が原因で温度や電源電圧により中心周波数が変動する事があった。その内在する誤差を小さくするには、ｇｍ回路等の比精度が必要となるため、その確保のための大きな面積が必要であった。すなわち、従来は、ＩＦフィルタの中心周波数の変動を抑えようとすると、回路規模が増大してしまうという問題があった。
【０００４】
そこで本発明の目的は以上のような問題を解消したフィルタ中心周波数調整装置および方法を提供することにある。
【０００５】
【課題を解決するための手段】
上記目的を達成するため、請求項１の発明は、フィルタの中心周波数を変更する変更手段と、前記フィルタの所望の中心周波数から対称的な周波数配置の２つの周波数成分を持つ信号を発生し、前記フィルタに入力する信号発生手段と、前記変更手段によって中心周波数を変更した結果得られる前記フィルタの少なくとも２つの出力値を比較する比較手段と、前記比較手段の比較結果に基づいて、前記フィルタの中心周波数が、前記フィルタの出力において前記２つの周波数成分が同じ大きさになる中心周波数に設定されるように前記変更手段を制御する制御手段とを具えたフィルタ中心周波数調整装置を特徴とする。
【０００６】
請求項２の発明は、フィルタの所望の中心周波数から対称的な周波数配置の２つの周波数成分を持つ信号を前記フィルタに入力し、前記フィルタの中心周波数を変更した結果得られる前記フィルタの少なくとも２つの出力値を比較し、前記比較結果に基づいて、前記フィルタの中心周波数を、前記フィルタの出力において前記２つの周波数成分が同じ大きさになる中心周波数に設定するフィルタ中心周波数調整方法を特徴とする。
【０００７】
【発明の実施の形態】
以下、図面を参照して、本発明の実施形態を説明する。
【０００８】
図１は本発明の実施形態にかかる携帯電話端末内のＩＦフィルタ（バンドパスフィルタ）回路を示す。
【０００９】
１はマスタスレーブ方式を適用したフィルタ回路のスレーブとして構成されるＩＦフィルタ、２は２トーン発生回路であって、ＩＦフィルタの理想的な（すなわち、所望の）周波数から対称の位置にある周波数（すなわち、所望の周波数から同じ周波数だけ＋または−した２つの周波数）成分を持った２つのトーンを同時に出力する。３は、後述する制御回路によって切替えが制御される切替えスイッチであって、中心周波数の調整時に本来の信号（携帯電話の送受信時の信号）の入力に代わって２トーン発生回路２からの信号を選択してＩＦフィルタ１に入力する。４はリミッタであって、ＩＦフィルタ１を通過した本来の信号を振幅等を制限して出力する。５は、ＲＳＳＩ（Ｒｅｃｅｉｖｅｄ  Ｓｉｇｎａｌ  Ｓｔｒｅｎｇｔｈ  Ｉｎｄｉｃａｔｏｒ）回路であって、ＩＦフィルタを通過した、またはＩＦフィルタの一部を通過した信号の強度を生成し出力する。
【００１０】
６はマスタスレーブ方式を適用したフィルタ回路のマスタとして構成されるマスタフィルタであって、ＩＦフィルタ１の中心周波数が所望の周波数となるようにＩＦフィルタ１のｇｍアンプに所定の電流を供給する。７は、ＩＦフィルタ１とマスタフィルタ６との間に設けられたＦ０（中心周波数）を変更するための電流調整回路であって、制御回路８からの制御信号に基づいてマスタフィルタ６からＩＦフィルタ１のｇｍアンプに供給される電流を変更して同ｇｍアンプのｇｍを変更しＩＦフィルタ１の中心周波数を変更する。９はコンパレータであって、ＲＳＳＩ回路５からの出力信号のレベルを比較し、その比較結果を制御回路８に入力する。
【００１１】
図２は通信方式としてＴＤＭＡ方式を適用した場合のＩＦフィルタの調整タイミングの例を示すものであって、後述するＦ０（中心周波数）調整は、実使用されない空時間を利用することができ、たとえば、実使用時間直前の時間を使用できる。図３はＲＳＳＩ回路の特性を説明するものであって、上部は、２トーン発生回路からの所望のＦ０から対称位置の２トーンの周波数成分の信号を入力したＩＦフィルタの通過信号を示し、下部はその通過信号を入力したＲＳＳＩ回路の出力特性を示す。ここで分かることは、ＩＦフィルタの出力において２つのトーンが同じ大きさになると（すなわち、この状態は、そのときのＩＦフィルタの中心周波数が所望のＦ０と一致している状態である）、ＲＳＳＩ回路の出力は最小になり、この状態からＩＦフィルタの中心周波数が＋または−のいずれにずれてもＩＦフィルタの出力において２つのトーンのうち片方の出力が大きくなり、ＲＳＳＩ回路の出力は最小よりも大きくなることである。
【００１２】
以上の構成の調整回路によるＦ０調整に際しては、まず、切替えスイッチ３を制御してＩＦフィルタ１に２トーン発生回路２からの信号を入力し、電流調整回路７を調整してマスタフィルタ６からＩＦフィルタ１のｇｍアンプに供給される電流をＦａとし、その時のＲＳＳＩ回路５の出力値Ｖａをサンプルする。Ｆａは例えば前回採用され（設定され）たＩＦフィルタ１の中心周波数からデルタＦだけ引いた周波数に相当する値とする。次に電流調整回路７を再び調整してマスタフィルタ６からＩＦフィルタ１のｇｍアンプに供給される電流をＦｂとし、その時のＲＳＳＩ回路５の出力値Ｖｂをサンプルする。Ｆｂは例えば前回採用され（設定され）たＩＦフィルタ１の中心周波数から２＊デルタＦだけ加えた周波数に相当する値とする。２つの出力値Ｖａ，Ｖｂをコンパレータ９で比較し、その結果を制御回路８に入力し、そこで、２つの出力値Ｖａ，Ｖｂのうち、値が小さい方に相当する中心周波数が得られるように、制御回路８によって電流調整回路７を制御し、マスタフィルタ６からＩＦフィルタ１のｇｍアンプに供給される電流を設定し、切替えスイッチ３を本来の信号入力に切替えて調整を終了する。このようにしてＩＦフィルタの中心周波数を設定することによって、図３に示したように、ＩＦフィルタの中心周波数は理想の値に近づく。ＴＤＭＡ方式の場合は図２のように実動作時間と休止期問が交互にあるので、上記調整を実動作時間に入る前に実施してから実動作を行わせる事で変動の遅い温度変化によるＩＦフィルタの中心周波数の変動を補正できる。
【００１３】
【発明の効果】
以上説明した通り、本発明によれば、ＩＦフィルタの中心周波数が温度等で変動しても、中心周波数は適正に補正され、好適な状態で動作させる事ができる。
また、回路規模も大きくすること無く、中心周波数調整を行うことができる。
【図面の簡単な説明】
【図１】本発明の実施形態にかかる調整方式を搭載した携帯電話端末内のＩＦフィルタの回路図である。
【図２】ＴＤＭＡ方式の場合の調整タイミングの例を示す図である。
【図３】ＩＦフィルタを通過した、またはＩＦフィルタの一部を通過した信号の強度をを生成する回路の例として、携帯電話端末内で使用されるＲＳＳＩ回路の特性を説明する図である。
【符号の説明】
１    ＩＦフィルタ
２    ２トーン発生回路
３    切替えスイッチ
４    リミッタ
５    ＲＳＳＩ回路
６    マスタフィルタ
７    電流調整回路
８    制御回路
９    コンパレータ
【図１】
0004546627.tif 000002
【図２】
0004546627.tif 000003
【図３】
0004546627.tif 000004